(57)【特許請求の範囲】
【請求項１】
水平に配置される有底のベッド本体と、該ベッド本体の前部に載置され前記ベッド本体の高さより高いヘッド枠部とを有するベッド装置において、
ベッド本体下枠体と該ベッド本体下枠体の上に載置されるベッド本体上枠体とを有する前記ベッド本体の内部には前後方向に分割された複数の空間部を備え、前側の前記空間部を通気性のある袋に入れた檜材のチップを収納する安眠芳香材収納部とし、該安眠芳香材収納部に前記ベッド本体上枠体の前側に形成されている貫通孔を介して連通する前記ヘッド枠部の前記ベッド本体より高い位置の左右に、前記安眠芳香材収納部に連通し、後方に向けた開口部を設け、しかも、該左右の開口部にはその開口面積を手動によって同時に調整する開閉扉機構が設けられて、前記安眠芳香材収納部に収納した前記檜材から発する香りが前記開口部から発し、
更に、前記ベッド本体の上部に設けられた寝床部の内部には、面状発熱体が並べて配置され、該面状発熱体の上には該面状発熱体により加熱されて遠赤外線を放射する遠赤外線放射板が配置されていることを特徴とするベッド装置。
【請求項２】
請求項１記載のベッド装置において、前記安眠芳香材収納部とした前記空間部を除いた残りの前記空間部の少なくとも１つには竹炭が収納されていることを特徴とするベッド装置。
【発明の詳細な説明】
【技術分野】
【０００１】
本発明は、安眠と就寝中の代謝促進を図るベッド装置に関する。
【背景技術】
【０００２】
近年、生活様式の変化により、寝る際にベッドを使用することが多くなっている。そこで、ベッドの使用時に頭部が位置する側（前側）に設けられるヘッド枠部内にラジオやステレオを設けて音楽、話を聞きながら眠りに入ることができるベッド装置や、ベッド周囲の騒音を軽減し安眠し易い環境を作り出すために、ベッド周囲の騒音をマイクで検出し位相が１８０°ずれた音をスピーカーからベッドに向けて放出し、騒音をキャンセルする騒音除去装置を備えたベッドが提案されている（例えば、特許文献１参照）。
【０００３】
【特許文献１】特開２００４−９７７５８号公報
【発明の開示】
【発明が解決しようとする課題】
【０００４】
しかしながら、ベッドにラジオ、ステレオ、又は騒音除去装置を設けると、製造コストが上昇するという問題がある。また、音楽や話を聞くことでかえって眠りに入り難くなる場合もある。そして、特許文献１の発明では、ベッド周囲の音の中に睡眠を誘発するような音が存在していてもキャンセルされてしまうという問題がある。更に、睡眠が誘発され安眠できるためには、単にベッド周囲の騒音を低減させるだけでは不十分で、就寝時に香りで気を静めたり、くつろいだ雰囲気を醸し出すことが必要であるとされている。
【０００５】
本発明はかかる事情に鑑みてなされたもので、就寝時に香りで気を静め、くつろいだ雰囲気を醸し出すと共に、就寝中の血行を良くし代謝を促進することが可能なベッド装置を提供することを目的とする。
【課題を解決するための手段】
【０００６】
前記目的に沿う本発明に係るベッド装置は、水平に配置される有底のベッド本体と、該ベッド本体の前部に載置され前記ベッド本体の高さより高いヘッド枠部とを有するベッド装置において、
ベッド本体下枠体と該ベッド本体下枠体の上に載置されるベッド本体上枠体とを有する前記ベッド本体の内部には前後方向に分割された複数の空間部を備え、前側の前記空間部を通気性のある袋に入れた檜材のチップを収納する安眠芳香材収納部とし、該安眠芳香材収納部に前記ベッド本体上枠体の前側に形成されている貫通孔を介して連通する前記ヘッド枠部の前記ベッド本体より高い位置の左右に、前記安眠芳香材収納部に連通し、後方に向けた開口部を設け、しかも、該左右の開口部にはその開口面積を手動によって同時に調整する開閉扉機構が設けられて、前記安眠芳香材収納部に収納した前記檜材から発する香りが前記開口部から発し、
更に、前記ベッド本体の上部に設けられた寝床部の内部には、面状発熱体が並べて配置され、該面状発熱体の上には該面状発熱体により加熱されて遠赤外線を放射する遠赤外線放射板が配置されている。
【０００７】
【０００８】
【０００９】
【００１０】
本発明に係るベッド装置において、前記ベッド本体の内部に前後方向に分割された複数の空間部を備え、前側の該空間部を前記安眠芳香材収納部とする。
また、前記安眠芳香材収納部とした前記空間部を除いた残りの前記空間部の少なくとも１つには竹炭を収納することができる。
【発明の効果】
【００１１】
請求項１、２記載のベッド装置においては、安眠芳香材収納部に収納した檜材から発する香りが開口部から発するので、就寝時に芳香材の香りで気が静まり、くつろいだ雰囲気が醸し出され、容易に安眠につくことができる。
【００１２】
【００１３】
請求項１記載のベッド装置において、開口部にその開口面積を手動によって調整する開閉扉機構を設けるので、安価な構成で安眠に効果的な強さの香りが得られるように香りを調整することができる。
【００１４】
請求項１記載のベッド装置においては、ベッド本体の上部に設けられた寝床部の内部に加熱されて遠赤外線を放射する遠赤外線放射板が配置されているので、就寝中に遠赤外線の効果で身体が暖まって血行がよくなることから、代謝を促進することができる。
請求項１記載のベッド装置においては、檜材から発する香りを拡散させずにヘッド枠部内に集めることができる。
請求項２記載のベッド装置においては、竹炭によりベッド装置が置かれた室内の空気の清浄化、湿度の調整、及び臭気の除去ができ、室内を安眠に適した環境にすることができる。
【発明を実施するための最良の形態】
【００１５】
続いて、添付した図面を参照しつつ、本発明を具体化した実施の形態につき説明し、本発明の理解に供する。
ここで、図１は本発明の一実施の形態に係るベッド装置の側断面図、図２（Ａ）、（Ｂ）はそれぞれ図１のＰ−Ｐ矢視図、Ｑ−Ｑ矢視図、図３は遠赤外線放出手段の説明図、図４は開口部に設けられた開閉扉機構の説明図、図５は変形例に係る開閉扉機構の説明図である。
【００１６】
図１、図２（Ａ）、（Ｂ）に示すように、本発明の一実施の形態に係るベッド装置１０は、水平に配置される有底のベッド本体１１と、ベッド本体１１の前部に載置され、ベッド本体１１の高さより高いヘッド枠部１２とを有している。そして、ベッド本体１１内の前側に安眠芳香材収納部１３を設けると共に、ヘッド枠部１２のベッド本体１１より高い位置に、安眠芳香材収納部１３に連通し、ベッド本体１１側、即ち後方に向けた開口部１４を設け、安眠芳香材収納部１３に収納した芳香材の一例である檜材のチップ１５から発する香りが開口部１４から発するようにしている。ここで、チップ１５の代りに、檜材のおが屑、檜チオール（檜オイル）をしみ込ませた含浸物を使用することもできる。以下、詳細に説明する。
【００１７】
ベッド本体１１は、水平に配置され有底で平面視して長方形のベッド本体下枠体１６と、平面視して長方形でベッド本体下枠体１６上に載置され、前側に貫通孔１７が形成されている寝床部１８が上部に設けられたベッド本体上枠体１９とを有している。ここで、ベッド本体下枠体１６は、前後に距離Ｌを有して平行に配置され厚みがｄの前、後下側板２０、２１と、前、後下側板２０、２１の両端部をそれぞれ連結する左、右下側板２２、２３と、前、後下側板２０、２１及び左、右下側板２２、２３で形成される下枠部２４の下部に取付けられ、前、後下側板２０、２１と平行に設けられ両側が左、右下側板２２、２３に固定された複数の下桟部材２５で補強された底板２６とを有している。
【００１８】
また、ベッド本体上枠体１９は、前後に距離Ｌ＋２ｄを有して平行に配置される前、後上側板２７、２８と、前、後上側板２７、２８の両端部をそれぞれ連結する左、右上側板２９、３０と、前、後上側板２７、２８及び左、右上側板２９、３０で形成される上枠部３１の上部に取付けられ、前、後上側板２７、２８と平行に設けられ両側が左、右上側板２９、３０に固定された複数の上桟部材３２で補強された寝床部１８とを有している。そして、前、後上側板２７、２８の内面には、それぞれ下端から距離ｋの位置に、前、後上側板２７、２８に沿って左右方向に掛止部材３３、３４が設けられている。ここで、距離ｋは、例えば、掛止部材３３、３４の高さｈの０．５〜１倍である。このような構成とすることで、ベッド本体下枠体１６の上部側をベッド本体上枠体１９の上枠部３１内に収容した状態でベッド本体上枠体１９をベッド本体下枠体１６の上部に載置することができ、ベッド本体１１が形成される。
【００１９】
なお、ベッド本体下枠体１６の内部には、前、後下側板２０、２１に平行で、両側が左、右下側板２２、２３に連結された第１、第２の下仕切り板３５、３６が設けられている。また、ベッド本体上枠体１９の内部には、前後方向の位置を第１、第２の下仕切り板３５、３６に合わせて、前、後上側板２７、２８に平行で、両側が左、右上側板２９、３０に連結され、ベッド本体上枠体１９をベッド本体下枠体１６の上部に載置した際に、第１、第２の下仕切り板３５、３６上端面にその下端面がそれぞれ当接するように第１、第２の上仕切り板３７、３８が設けられている。これにより、ベッド本体１１の内部に前後方向に分割された複数（ここでは３つ）の空間部を形成することができ、前側の空間部を安眠芳香材収納部１３に、後側の空間部を竹炭３９を収容する竹炭収納部４０にすることができる。そして、第２の上仕切り板３８の側部下部には、下方に突出し下方に配置される第２の下仕切り板３６の側部に当接して第２の上仕切り板３８の位置決めを行う位置決め部材４１が設けられている。更に、左、右下側板２２、２３の下端面にはそれぞれ、ストッパー付きの複数（本実施の形態では３個）のキャスター４２が取付けられ、床４３上を移動させることができる。
【００２０】
寝床部１８の前側に形成されている貫通孔１７は、その外周部の前側が前上側板２７で、左右両側が左、右上側板２９、３０で、外周部の後側が前上側板２７と第２の上仕切り板３８の間で前上側板２７に平行に配置され、両側が左、右上側板２９、３０に固定された縁板部材４５でそれぞれ形成されている。なお、縁板部材４５は、前上側板２７と平行に設けられ両側が左、右上側板２９、３０に固定された第２の上桟部材４４で補強されている。そして、寝床部１８には、縁板部材４５、後上側板２８、左、右上側板２９、３０で囲まれた領域内に並べて配置され、下面が上桟部材３２、第１、第２の上仕切り板３７、３８、及び第２の上桟部材４４で支持される敷板部材４６（例えば、厚みが１０〜２０ｍｍの檜板材）と、敷板部材４６上に設けられた面状の遠赤外線放出手段４７と、遠赤外線放出手段４７の上に配置され寝具を置く寝具載置台４８（例えば、厚みが１０〜２０ｍｍ畳み）とが設けられている。なお、敷板部材４６で、竹炭収納部４０を覆う領域には、複数の孔が形成されている（例えば、孔の径が５〜１０ｍｍ、孔の間隔が５０〜１００ｍｍ）。また、底板２６の竹炭収納部４０を形成する部分に複数の孔を設けてもよい。これによって、部屋内に漂う悪臭を吸収することができる。
【００２１】
遠赤外線放出手段４７は、図３に示すように、敷板部材４６上に配置され中央部に開口が形成された枠体４９と、敷板部材４６上に配置され枠体４９の開口内に配置される遠赤外線放出器５０とを有している。遠赤外線放出器５０は、枠体４９の開口内に露出した敷板部材４６上に配置されるフェルト状の緩衝材５１と、緩衝材５１の上に配置される断熱板５２と、断熱板５２上に並べて配置される面状発熱体５３と、面状発熱体５３の上に並べて配置され面状発熱体５３により加熱されて遠赤外線を放射する遠赤外線放射板５４とを有している。なお、枠体４９内には、面状発熱体５３に電力を供給する電力供給部（図示せず）が設けられ、枠体４９からは電力供給部に接続する図示しないヒーター用電源ケーブルが設けられている。
【００２２】
ここで、面状発熱体５３の寸法と枚数は、枠体４９に形成された開口の面積に基づいて決まり、シングルサイズベッドでは、例えば、開口は縦１８００ｍｍ、横６００ｍｍとなり、面状発熱体５３の寸法を縦寸法３００ｍｍ、横寸法３００ｍｍとして、縦に６枚、横に２枚並べる。そして、遠赤外線放射板５４の寸法は、面状発熱体５３の寸法と同一にする。また、枠体４９の厚みは、遠赤外線放出器５０の厚みと一致するように調整されている。これによって、敷板部材４６上に枠体４９と遠赤外線放出器５０を配置した際に、枠体４９上面と遠赤外線放出器５０上面とは同一の高さ位置となり、遠赤外線放出手段４７の上面が平坦になって、寝具載置台４８が水平に保持される。なお、面状発熱体５３のヒーターには、例えば、ＰＴＣヒーターを使用する。
【００２３】
ヘッド枠部１２は、貫通口１７の外周部の一部を形成する左、右上側板２９、３０及び縁板部材４５上に取付けられ、上、下側及び前側（前上側板２７側）に開放した平面視してコ字状の固定枠体５５と、固定枠体５５の上、前側を覆うように前上側板２７上に着脱可能に取付けられ、側面視してＬ字状の蓋部材５６を有している。ここで、固定枠体５５は、左右に平行に配置され、左、右上側板２９、３０上に載置される左、右ヘッド側板５７、５８と、左、右ヘッド側板５７、５８に両側がそれぞれ固定され、縁板部材４５上に載置される後ヘッド側板５９とを有している。そして、左、右ヘッド側板５７、５８の内側下部には、下方に突出し左、右上側板２９、３０の側部にそれぞれ当接して左、右上側板２９、３０に対して左、右ヘッド側板５７、５８を掛止する図示しない掛止部材が設けられ、後ヘッド側板５９の前側下部には、下方に突出し縁板部材４５の側部に当接して縁板部材４５に対して後ヘッド側板５９を掛止する掛止部材６０が設けられている。また、後ヘッド側板５９の上部には、左右方向に距離を有して開口部１４が形成され、後ヘッド側板５９の左右方向の一方側（本実施の形態では左側）の下部にはスイッチ付きのコンセント６１が設けられている。
【００２４】
蓋部材５６は、前上側板２７上に立設される前ヘッド側板６２と、前ヘッド側板６２の上部に直交してその前部側が取付けられ、後部側が固定枠体５５の後ヘッド側板５９の上端上に載置され、左右方向両側がそれぞれ左、右ヘッド側板５７、５８の上端上に載置される天板６３とを有している。そして、天板６３の左、右両側下部には左、右ヘッド側板５７、５８の内側上部にそれぞれ当接する図示しない掛止部材が設けられて、蓋部材５６の左右方向のずれを防止している。また、天板６３の後側下部には、下方に突出し後ヘッド側板５９の前側上部に当接する図示しない掛止部材が、前ヘッド側板６２の後側下部には、下方に突出し前上側板２７の側部（後側上部）に当接する掛止部材６４が設けられて、蓋部材５６の前後方向のずれを防止している。なお、前ヘッド側板６２の左右方向の一方側（本実施の形態では左側）には、コンセント６１に接続される電源ケーブル（図示せず）が挿通する挿通孔６５が形成されている。
【００２５】
図４に示すように、ヘッド枠部１２の後ヘッド側板５９に形成された開口部１４にはその開口面積を手動によって調整する開閉扉機構６６が設けられている。ここで、開閉扉機構６６は、左側に形成された開口部１４では左側外周部に、右側に形成された開口部１４では右側外周部にそれぞれ固定ピン６７で基側が固定され、それぞれ固定ピン６７を中心にして後ヘッド側板５９に沿って回動して開口部１４と重なる面積を変化させることで開口部１４の開口面積の調整を行う左、右扉部材６８、６９と、左、右扉部材６８、６９の先側にそれぞれ形成された長孔７０内に先側が挿通された掛止ピン７１と、掛止ピン７１の基側が左右両側にそれぞれ固定されて、左、右扉部材６８、６９を掛止ピン７１を介して接続する連結部材７２とを有している。
【００２６】
更に、開閉扉機構６６は、後ヘッド側板５９と隙間を設けて左右の開口部１４の中央位置に垂直に配置され、基側が連結部材７２の下部中央に取付けられ、先側が後ヘッド側板５９を載置している縁板部材４５の下端から突出する長尺の雄ねじ部材７３と、後ヘッド側板５９の上下方向に並べて取付けられ、雄ねじ部材７３を螺合状態で貫通させて雄ねじ部材７３を支持すると共に雄ねじ部材７３と後ヘッド側板５９との間に形成された隙間を保持する複数のナット部材７４と、縁板部材４５の下端から突出した雄ねじ部材７３の先部に取付けられて雄ねじ部材７３をその軸心回りに回転するハンドル７５とを有している。
【００２７】
このような構成とすることにより、ハンドル７５を回転することで、雄ねじ部材７３を回転させて後ヘッド側板５９に沿って上下方向に移動させることができ、連結部材７２を後ヘッド側板５９に沿って昇降させることができる。その結果、掛止ピン７１を介して左、右扉部材６８、６９の先側が昇降し、左、右扉部材６８、６９は固定ピン６７を中心に後ヘッド側板５９に沿って回動し、左、右扉部材６８、６９が開口部１４と重なる際の面積が変化することで、開口部１４の開口面積の調整が行われる。
【００２８】
続いて、本発明の一実施の形態に係るベッド装置１０の使用方法について説明する。
先ず、床４３上の作業し易い場所にベッド本体下枠体１６を配置し、ベッド本体下枠体１６の前下側板２０と第２の下仕切り板３６で形成された空間部の底に露出している底板２６上に、例えば、通気性のある袋に収納された檜材のチップ１５を入れる。また、後下側板２１と第１の下仕切り板３５で形成された空間部の底に露出している底板２６上に、例えば、通気性のある袋に収納された竹炭３９を入れる。そして、ベッド本体下枠体１６の上部にベッド本体上枠体１９を載置する。これにより、ベッド本体１１内の前側に安眠芳香材収納部１３が、後側に竹炭収納部４０が形成される。更に、ベッド本体上枠体１９の寝床部１８の前側に形成されている貫通孔１７の外周部にヘッド枠部１２を取付け、ベッド装置１０が形成される。
【００２９】
次いで、ヘッド枠部１２の蓋部材５６を取外し、現われた開閉扉機構６６のハンドル７５を回転して、左、右扉部材６８、６９を回動させて開口部１４の開口面積の調整する。これにより、安眠芳香材収納部１３に収納したチップ１５から発する香りが開口部１４を介して外部に放出される際の香りの強さが調整できる。また、蓋部材５６の前ヘッド側板６２に形成された挿通孔６５を通過させた電源ケーブル（図示せず）をコンセント６１の入力側に接続し、蓋部材５６をヘッド枠部１２の固定枠体５５に取付ける。そして、電源ケーブルのプラグを室内の設けられたコンセントに接続し、枠体４９に設けられたヒーター用電源ケーブルのプラグをコンセント６１に差し込み、キャスター４２を介してベッド装置１０を床４３上で移動させてベッド装置１０の位置決めを行った後、キャスター４２をロックする。これにより、ベッド装置１０が使用可能な状態となる。
【００３０】
図５に、変形例に係る開閉扉機構７６を示す。開閉扉機構７６は、開口部１４を覆う左、右扉部材７７、７８と、左、右扉部材７７、７８の高さ位置を左、右の開口部１４の高さ位置に合わせて保持すると共に、左、右扉部材７７、７８が後ヘッド側板５９の内側面上を左右方向に摺動するのをガイドする扉保持部７９と、扉保持部７９に保持された左、右扉部材７７、７８を同期して互いに近接又は遠隔させて左、右の開口部１４の開口面積の調整を同時に行う扉駆動部８０とを有している。
【００３１】
ここで、扉保持部７９は、後ヘッド側板５９の内側面にその左右方向に取付けられ、左、右扉部材７７、７８の下端面を載置すると共にその下側部をそれぞれ掛止する下ガイド材８１と、左、右扉部材７７、７８の上端面をそれぞれ掛止して左、右扉部材７７、７８が左右方向に移動する際に左、右扉部材７７、７８が後ヘッド側板５９の内側面上から離脱するのを抑える上ガイド材８２とを有している。
【００３２】
また、扉駆動部８０は、左、右扉部材７７、７８の裏面側にそれぞれ取付けられたナット材８３、８４と、後ヘッド側板５９の内側面から距離を設けて水平に配置されてナット材８３、８４にそれぞれ螺合し、両側が左、右ヘッド側板５７、５８に設けた軸受８５、８６で支持される長尺の雄ねじ部材８７を有している。そして、雄ねじ部材８７のいずれか一方の端側（この変形例では、左端側）はヘッド枠部１２の側部を貫通して外部に突出し、ハンドル８８が取付けられている。なお、雄ねじ部材８７には、その中央部を挟んで両側にねじの回転方向が逆向きとなった雄ねじがそれぞれ形成されている。これによって、ハンドル８８を回して雄ねじ部材８７を回転させた場合、ナット材８３、８４を介して雄ねじ材８７に連結している左、右扉部材７７、７８を同期して互いに近接又は遠隔させることができる。
【００３３】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、ベッド本体内に形成される空間部で、安眠芳香材収納部とした空間部を除いた残り全ての空間部に竹炭を収納するようにすることもできる。そして、檜のチップから発する香りが弱くなった場合は、使用中のチップに檜オイルを振りかけることで、チップから発する香りを再び強くすることができる。
【００３４】
ベッド装置をダブルサイズベッドとする場合は、ヘッド枠部の後ヘッド側板の左右方向に並べて形成する開口部の個数を増やすと共に、遠赤外線放出手段の枠体にシングルサイズベッドの場合の開口を左右方向に並べて（例えば、１００〜２００ｍｍの距離を有して）２つ設けるようにすればよい。
【図面の簡単な説明】
【００３５】
【図１】本発明の一実施の形態に係るベッド装置の側断面図である。
【図２】（Ａ）、（Ｂ）はそれぞれ図１のＰ−Ｐ矢視図、Ｑ−Ｑ矢視図である。
【図３】遠赤外線放出手段の説明図である。
【図４】開口部に設けられた開閉扉機構の説明図である。
【図５】変形例に係る開閉扉機構の説明図である。
【符号の説明】
【００３６】
１０：ベッド装置、１１：ベッド本体、１２：ヘッド枠部、１３：安眠芳香材収納部、１４：開口部、１５：チップ、１６：ベッド本体下枠体、１７：貫通孔、１８：寝床部、１９：ベッド本体上枠体、２０：前下側板、２１：後下側板、２２：左下側板、２３：右下側板、２４：下枠部、２５：下桟部材、２６：底板、２７：前上側板、２８：後上側板、２９：左上側板、３０：右上側板、３１：上枠部、３２：上桟部材、３３、３４：掛止部材、３５：第１の下仕切り板、３６：第２の下仕切り板、３７：第１の上仕切り板、３８：第２の上仕切り板、３９：竹炭、４０：竹炭収納部、４１：位置決め部材、４２：キャスター、４３：床、４４：第２の上桟部材、４５：縁板部材、４６：敷板部材、４７：遠赤外線放出手段、４８：寝具載置台、４９：枠体、５０：遠赤外線放出器、５１：緩衝材、５２：断熱板、５３：面状発熱体、５４：遠赤外線放射板、５５：固定枠体、５６：蓋部材、５７：左ヘッド側板、５８：右ヘッド側板、５９：後ヘッド側板、６０：掛止部材、６１：コンセント、６２：前ヘッド側板、６３：天板、６４：掛止部材、６５：挿通孔、６６：開閉扉機構、６７：固定ピン、６８：左扉部材、６９：右扉部材、７０：長孔、７１：掛止ピン、７２：連結部材、７３：雄ねじ部材、７４：ナット部材、７５：ハンドル、７６：開閉扉機構、７７：左扉部材、７８：右扉部材、７９：扉保持部、８０：扉駆動部、８１：下ガイド材、８２：上ガイド材、８３、８４：ナット材、８５、８６：軸受、８７：雄ねじ部材、８８：ハンドル
【図１】
0004917009.tif 000002
【図２】
0004917009.tif 000003
【図３】
0004917009.tif 000004
【図４】
0004917009.tif 000005
【図５】
0004917009.tif 000006